(57)【要約】【課題】利用者のカラオケ歌唱の評価の状況に応じ、従業員に対して入室の可否を通知することが可能なカラオケシステムを提供する。【解決手段】サーバ装置は、利用者情報及び楽曲情報に基づいて、歌唱履歴から最高得点情報を抽出して送信する抽出部、情報端末に対し入室可否情報を送信する情報送信部を有し、カラオケ装置は、最高得点情報を取得する取得部、カラオケ演奏の開始に伴い、入室を禁止する旨の入室可否情報を情報端末に送信するよう指示する第１の指示部、得点を求める採点部、得点及び最高得点情報に基づいて、最高得点情報が示す最高得点を更新できるかどうかを判定する判定部、最高得点を更新できないと判定された場合、入室を許可する旨の入室可否情報を情報端末に送信するよう指示する第２の指示部を有する。【選択図】図４
2020034752.tif 000002
【特許請求の範囲】
【請求項１】
サーバ装置と、カラオケ店舗の各部屋に設置されるカラオケ装置と、当該カラオケ装置に対応付けられ、カラオケ店舗の従業員に対して各種情報を提供する情報端末と、を含むカラオケシステムであって、
前記サーバ装置は、
前記カラオケ装置から受信した、利用者を識別するための利用者情報、及び当該利用者が選曲した楽曲を識別するための楽曲情報に基づいて、当該利用者の歌唱履歴の中から、当該楽曲を過去にカラオケ歌唱した際に得られた最高得点を示す最高得点情報を抽出し、当該カラオケ装置に送信する抽出部と、
前記カラオケ装置からの指示に基づいて、当該カラオケ装置に対応付けられた前記情報端末に対し、当該カラオケ装置が設置された部屋への入室の可否に関わる入室可否情報を送信する情報送信部と、
を有し、
前記カラオケ装置は、
前記サーバ装置に対し、前記利用者情報、及び前記楽曲情報を送信し、前記最高得点情報を取得する取得部と、
前記利用者が選曲した楽曲のカラオケ演奏を行う演奏処理部と、
前記カラオケ演奏の開始に伴い、入室を禁止する旨の入室可否情報を前記情報端末に送信するよう、前記サーバ装置に対して指示する第１の指示部と、
前記カラオケ演奏に伴う利用者のカラオケ歌唱を評価し、所定の歌唱区間毎の得点を求める採点部と、
前記得点及び前記最高得点情報に基づいて、前記カラオケ歌唱を継続した場合に、前記最高得点情報が示す最高得点を更新できるかどうかを判定する判定部と、
前記最高得点を更新できないと判定された場合、入室を許可する旨の入室可否情報を前記情報端末に送信するよう、前記サーバ装置に対して指示する第２の指示部と、
を有するカラオケシステム。
【請求項２】
前記カラオケ装置は、
前記カラオケ演奏の開始時刻、及び楽曲データに基づいて、当該カラオケ演奏の終了時刻を算出する算出部を有し、
前記第１の指示部は、前記サーバ装置に対し、前記終了時刻まで入室を禁止する旨の入室可否情報を送信し、
前記情報送信部は、前記情報端末に対し、前記終了時刻まで入室を禁止する旨の入室可否情報を送信することを特徴とする請求項１記載のカラオケシステム。
【請求項３】
前記第２の指示部は、前記カラオケ演奏の終了に伴い、入室を許可する旨の入室可否情報を前記情報端末に送信するよう、前記サーバ装置に対して指示することを特徴とする請求項１または２記載のカラオケシステム。
【請求項４】
サーバ装置と通信可能に接続され、且つカラオケ店舗の従業員に対して各種情報を提供する情報端末と対応付けられたカラオケ装置であって、
前記サーバ装置に対し、利用者を識別するための利用者情報、及び当該利用者が選曲した楽曲を識別するための楽曲情報を送信し、当該利用者の歌唱履歴の中から、当該楽曲を過去にカラオケ歌唱した際に得られた最高得点を示す最高得点情報を取得する取得部と、
前記利用者が選曲した楽曲のカラオケ演奏を行う演奏処理部と、
前記カラオケ演奏の開始に伴い、入室を禁止する旨の入室可否情報を前記情報端末に送信するよう、前記サーバ装置に対して指示する第１の指示部と、
前記カラオケ演奏に伴う利用者のカラオケ歌唱を評価し、所定の歌唱区間毎の得点を求める採点部と、
前記得点及び前記最高得点情報に基づいて、前記カラオケ歌唱を継続した場合に、前記最高得点情報が示す最高得点を更新できるかどうかを判定する判定部と、
前記最高得点を更新できないと判定された場合、入室を許可する旨の入室可否情報を前記情報端末に送信するよう、前記サーバ装置に対して指示する第２の指示部と、
を有するカラオケ装置。
【請求項５】
前記カラオケ演奏の開始時刻、及び楽曲データに基づいて、当該カラオケ演奏の終了時刻を算出する算出部を有し、
前記第１の指示部は、前記サーバ装置に対し、前記終了時刻まで入室を禁止する旨の入室可否情報を送信することを特徴とする請求項４記載のカラオケ装置。
【請求項６】
前記第２の指示部は、前記カラオケ演奏の終了に伴い、入室を許可する旨の入室可否情報を前記情報端末に送信するよう、前記サーバ装置に対して指示することを特徴とする請求項４または５記載のカラオケ装置。
【発明の詳細な説明】
【技術分野】
【０００１】
本発明はカラオケシステム及びカラオケ装置に関する。
【背景技術】
【０００２】
カラオケ装置は、マイクから入力された歌唱音声から音高データ、音量データ、タイミング等の歌唱音声データを抽出し、この歌唱音声データとカラオケ演奏された楽曲の主旋律等を示すリファレンスデータとを比較することによりカラオケ歌唱の採点を行うことができる。
【０００３】
また、このようなカラオケ装置が設置されるカラオケ店舗（カラオケボックス等）では、カラオケ装置の利用中にリモコン装置やインターホンを介して部屋毎に飲食物をオーダーすることができる。
【０００４】
オーダーされた飲食物は、カラオケ店舗の従業員によって提供される。この際、従業員はカラオケ歌唱を行っている最中の部屋に入室することがある。
【０００５】
ところで、カラオケ装置の利用者の中には、従業員等の見知らぬ人の前で歌うことを躊躇う性格の者もいる。そのような利用者は、従業員が部屋に入室してきた際には、カラオケ歌唱を中止する場合がある。この場合、カラオケ演奏に対応する歌唱音声データの入力が無くなるため、カラオケ歌唱の採点結果が悪くなってしまう。
【０００６】
そこで、特許文献１には、サービス提供者の入室に伴って採点値が所定値以上低下した場合には採点値の補正を行う技術が開示されている（特開２０１８−０７２５９６号公報）。
【０００７】
また、従業員の入室自体を控えるようにするため、カラオケ歌唱の録音中や歌唱動画の撮影中であることを予め室外に報知する技術も知られている。
【先行技術文献】
【特許文献】
【０００８】
【特許文献１】特開２０１８−０７２５９６号公報
【発明の概要】
【発明が解決しようとする課題】
【０００９】
利用者は、カラオケ歌唱が上手く行えており、高い採点結果が得られそうな場合等には、従業員に入室して欲しくないと考える可能性が高い。一方、利用者は、カラオケ歌唱が上手く行えていない場合には、カラオケ歌唱を中止しても構わないため、寧ろ早く飲食物を届けて欲しいと考える場合もある。
【００１０】
本発明の目的は、利用者のカラオケ歌唱の評価の状況に応じ、従業員に対して入室の可否を通知することが可能なカラオケシステム及びカラオケ装置を提供することにある。
【課題を解決するための手段】
【００１１】
上記目的を達成するための一の発明は、サーバ装置と、カラオケ店舗の各部屋に設置されるカラオケ装置と、当該カラオケ装置に対応付けられ、カラオケ店舗の従業員に対して各種情報を提供する情報端末と、を含むカラオケシステムであって、前記サーバ装置は、前記カラオケ装置から受信した、利用者を識別するための利用者情報、及び当該利用者が選曲した楽曲を識別するための楽曲情報に基づいて、当該利用者の歌唱履歴の中から、当該楽曲を過去にカラオケ歌唱した際に得られた最高得点を示す最高得点情報を抽出し、当該カラオケ装置に送信する抽出部と、前記カラオケ装置からの指示に基づいて、当該カラオケ装置に対応付けられた前記情報端末に対し、当該カラオケ装置が設置された部屋への入室の可否に関わる入室可否情報を送信する情報送信部と、を有し、前記カラオケ装置は、前記サーバ装置に対し、前記利用者情報、及び前記楽曲情報を送信し、前記最高得点情報を取得する取得部と、前記利用者が選曲した楽曲のカラオケ演奏を行う演奏処理部と、前記カラオケ演奏の開始に伴い、入室を禁止する旨の入室可否情報を前記情報端末に送信するよう、前記サーバ装置に対して指示する第１の指示部と、前記カラオケ演奏に伴う利用者のカラオケ歌唱を評価し、所定の歌唱区間毎の得点を求める採点部と、前記得点及び前記最高得点情報に基づいて、前記カラオケ歌唱を継続した場合に、前記最高得点情報が示す最高得点を更新できるかどうかを判定する判定部と、前記最高得点を更新できないと判定された場合、入室を許可する旨の入室可否情報を前記情報端末に送信するよう、前記サーバ装置に対して指示する第２の指示部と、を有するカラオケシステムである。
本発明の他の特徴については、後述する明細書及び図面の記載により明らかにする。
【発明の効果】
【００１２】
本発明によれば、利用者のカラオケ歌唱の評価の状況に応じ、従業員に対して入室の可否を通知することができる。
【図面の簡単な説明】
【００１３】
【図１】実施形態に係るカラオケシステムの概略を示す図である。
【図２】実施形態に係るサーバ装置のハードウェア構成例を示す図である。
【図３】実施形態に係るカラオケ装置のハードウェア構成例を示す図である。
【図４】実施形態に係るカラオケ装置のソフトウェア構成例を示す図である。
【図５Ａ】実施形態に係るカラオケシステムの処理を示すフローチャートである。
【図５Ｂ】実施形態に係るカラオケシステムの処理を示すフローチャートである。
【発明を実施するための形態】
【００１４】
＜実施形態＞
図１〜図５Ｂを参照して、実施形態に係るカラオケシステムについて説明する。
【００１５】
＝＝カラオケシステム＝＝
図１に示すように、本実施形態に係るカラオケシステム１は、サーバ装置Ｓ、カラオケ店舗の各部屋に設置されるカラオケ装置、及び情報端末Ｄを含む。
【００１６】
図１では、カラオケ店舗Ｂ内のカラオケルームＲ１〜Ｒ４に、カラオケ装置Ｋ１〜Ｋ４が設置されている例を示している。各カラオケ装置は、固有の装置ＩＤが付与されている。なお、一つのカラオケ店舗におけるカラオケルームの数やカラオケ装置の数はこの例に限られない。
【００１７】
情報端末Ｄは、カラオケ装置に対応付けられ、カラオケ店舗の従業員に対して各種情報を提供する。情報端末Ｄは、たとえば、ディスプレイを備えたパーソナルコンピュータである。情報端末Ｄは、たとえばカラオケ店舗Ｂのフロントに設置されている。情報端末Ｄは固有の端末ＩＤが付与されている。
【００１８】
サーバ装置Ｓと、各カラオケ装置及び情報端末Ｄとは、ネットワークを介して通信可能となっている。ネットワークは、たとえば公衆電話回線網やインターネット回線等の伝送路である。
【００１９】
＝＝サーバ装置＝＝
サーバ装置Ｓは、カラオケ装置Ｋに関する各種情報の管理、カラオケ装置Ｋから送信される情報の処理、及び情報端末Ｄへの各種指示を行うコンピュータである。図２はサーバ装置Ｓのハードウェア構成例を示す図である。サーバ装置Ｓは、記憶部１０、通信部２０、及び制御部３０を備える。各構成はインターフェース（図示なし）を介してバスＢに接続されている。
【００２０】
記憶部１０は、各種のデータを記憶する大容量の記憶装置である。記憶部１０は、カラオケ装置の利用者毎に歌唱履歴を記憶している。歌唱履歴は、ある利用者が過去にカラオケ歌唱を行った楽曲名や、カラオケ歌唱を評価した得点を含む。また、記憶部１０は、カラオケ店舗毎に、設置されているカラオケ装置の装置ＩＤと情報端末の端末ＩＤとを紐付けたデータを記憶している。
【００２１】
通信部２０は、サーバ装置Ｓとカラオケ装置または情報端末とを接続するためのインターフェースを提供する。制御部３０は、サーバ装置Ｓにおける各種の制御を行う。制御部３０は、ＣＰＵおよびメモリ（いずれも図示なし）を備える。ＣＰＵは、メモリに記憶されたプログラムを実行することにより各種の機能を実現する。
【００２２】
本実施形態において、制御部３０は、抽出部３０ａ及び情報送信部３０ｂとして機能する。
【００２３】
抽出部３０ａは、カラオケ装置から受信した、利用者を識別するための利用者情報、及び当該利用者が選曲した楽曲を識別するための楽曲情報に基づいて、当該利用者の歌唱履歴の中から、当該楽曲を過去にカラオケ歌唱した際に得られた最高得点を示す最高得点情報を抽出し、当該カラオケ装置に送信する。
【００２４】
たとえば、カラオケ装置Ｋ１から利用者Ａ１の利用者ＩＤ、及び楽曲Ｘの楽曲ＩＤを受信したとする。この場合、抽出部３０ａは、利用者Ａ１の歌唱履歴を記憶部１０から読み出し、楽曲Ｘを過去にカラオケ歌唱した際に得られた得点のうち、最も高い得点を最高得点情報として抽出し、カラオケ装置Ｋ１に送信する。利用者ＩＤは「利用者情報」の一例であり、楽曲ＩＤは「楽曲情報」の一例である。なお、利用者がある楽曲を初めて選曲した場合には最高得点情報が存在しないが、本実施形態の説明では、最高得点情報が存在するものとして説明を行う。
【００２５】
情報送信部３０ｂは、カラオケ装置からの指示に基づいて、当該カラオケ装置に対応付けられた情報端末に対し、当該カラオケ装置が設置された部屋への入室の可否に関わる入室可否情報を送信する。
【００２６】
たとえば、情報送信部３０ｂは、カラオケ装置Ｋ１からの指示があった場合、記憶部１０に記憶されているデータを参照し、カラオケ装置Ｋ１に対応付けられた情報端末Ｄに対し、カラオケ装置Ｋ１が設置されたカラオケルームＲ１への入室の可否に関わる入室可否情報を送信する。「カラオケ装置からの指示」及び「入室可否情報」の詳細については後述する。
【００２７】
＝＝カラオケ装置＝＝
［ハードウェア構成］
カラオケ装置は、楽曲のカラオケ演奏、及び利用者がカラオケ歌唱を行うための装置である。図１のカラオケ装置Ｋ１〜Ｋ４はいずれも同じ構成のため、以下カラオケ装置Ｋ１を例に説明する。
【００２８】
図３に示すように、カラオケ装置Ｋ１は、カラオケ本体４０、スピーカ５０、表示装置６０、マイク７０、及びリモコン装置８０を備える。
【００２９】
スピーカ５０はカラオケ本体４０からの放音信号に基づいて放音するための構成である。表示装置６０はカラオケ本体４０からの信号に基づいて映像や画像を画面に表示するための構成である。マイク７０は利用者の歌唱音声（マイク７０への入力音声）をアナログの音声信号に変換してカラオケ本体４０に入力するための構成である。リモコン装置８０は、カラオケ本体４０に対する各種操作をおこなうための装置である。利用者はリモコン装置８０を用いてカラオケ歌唱を希望する楽曲の検索や選曲（予約）等を行うことができる。リモコン装置８０の表示画面には各種操作の指示入力を行うためのアイコン等が表示される。
【００３０】
カラオケ本体４０は、選曲された楽曲のカラオケ演奏制御、歌詞や背景映像等の表示制御、マイク７０を通じて入力された音声信号の処理といった、カラオケ歌唱に関する各種の制御を行う。図３に示すように、カラオケ本体４０は、制御部４１、通信部４２、記憶部４３、音響処理部４４、表示処理部４５、及び操作部４６を備える。各構成はインターフェース（図示なし）を介してバスＢに接続されている。
【００３１】
制御部４１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００３２】
通信部４２は、ルーター（図示なし）を介してカラオケ本体４０を通信回線に接続するためのインターフェースを提供する。
【００３３】
記憶部４３は、各種のデータを記憶する大容量の記憶装置であり、たとえばハードディスクドライブなどである。たとえば、記憶部４３は、カラオケ装置Ｋ１においてカラオケ演奏を行うための複数の楽曲（楽曲データ）を記憶する。
【００３４】
音響処理部４４は、制御部４１の制御に基づき、楽曲に対するカラオケ演奏の制御およびマイク７０を通じて入力された歌唱音声信号の処理を行う。表示処理部４５は、制御部４１の制御に基づき、表示装置６０やリモコン装置８０における各種表示に関する処理を行う。たとえば、表示処理部４５は、カラオケ演奏時における背景映像に歌詞テロップや各種アイコンが重ねられた映像を表示装置６０に表示させる。或いは、表示処理部４５は、リモコン装置８０の表示画面に操作入力用の各種アイコンを表示させる。
【００３５】
操作部４６は、パネルスイッチおよびリモコン受信回路などからなり、利用者によるカラオケ装置Ｋ１のパネルスイッチあるいはリモコン装置８０の操作に応じて選曲信号、演奏中止信号などの操作信号を制御部４１に対して出力する。制御部４１は、操作部４６からの操作信号を検出し、対応する処理を実行する。
【００３６】
［ソフトウェア構成］
図４はカラオケ本体４０のソフトウェア構成例を示す図である。カラオケ本体４０は、取得部１００、演奏処理部２００、算出部３００、第１の指示部４００、採点部５００、判定部６００、及び第２の指示部７００を備える。取得部１００、演奏処理部２００、算出部３００、第１の指示部４００、採点部５００、判定部６００、及び第２の指示部７００は、ＣＰＵがメモリに記憶されるプログラムを実行することにより実現される。
【００３７】
（取得部）
取得部１００は、サーバ装置Ｓに対し、利用者を識別するための利用者情報、及び当該利用者が選曲した楽曲を識別するための楽曲情報を送信し、当該利用者の歌唱履歴の中から、当該楽曲を過去にカラオケ歌唱した際に得られた最高得点を示す最高得点情報を取得する。
【００３８】
カラオケ店舗ＢのカラオケルームＲ１を利用する利用者Ａ１が、カラオケ装置Ｋ１のリモコン装置８０を介して楽曲Ｘの選曲を行ったとする。この場合、取得部１００は、利用者Ａ１の利用者ＩＤ、及び楽曲Ｘの楽曲ＩＤを、カラオケ装置Ｋ１の装置ＩＤと関連付けて、通信部４２を介してサーバ装置Ｓに送信する。サーバ装置Ｓの抽出部３０ａは、上述の通り、利用者Ａ１の楽曲Ｘにおける最高得点情報を抽出し、カラオケ装置Ｋ１に送信する。取得部１００は、送信された最高得点情報を取得する。
【００３９】
（演奏処理部）
演奏処理部２００は、利用者が選曲した楽曲のカラオケ演奏を行う。
【００４０】
たとえば、利用者Ａ１が楽曲Ｘを選曲した場合、演奏処理部２００は、楽曲Ｘの楽曲データを記憶部４３から読み出し、音響処理部４４を制御することにより楽曲Ｘのカラオケ演奏を行う。利用者Ａ１は、カラオケ演奏に合わせてカラオケ歌唱を行うことができる。
【００４１】
（算出部）
算出部３００は、カラオケ演奏の開始時刻、及び楽曲データに基づいて、当該カラオケ演奏の終了時刻を算出する。
【００４２】
算出部３００は、演奏処理部２００によるカラオケ演奏が開始された場合、開始時刻と楽曲データに含まれる楽曲の演奏時間に基づいて、カラオケ演奏の終了時刻を算出する。たとえば、カラオケ演奏の開始時刻が「１８：３０：３０」、楽曲の演奏時間が「０５：１０」の場合、算出部３００は、終了時刻「１８：３５：４０」を算出する。
【００４３】
（第１の指示部）
第１の指示部４００は、カラオケ演奏の開始に伴い、入室を禁止する旨の入室可否情報を情報端末Ｄに送信するよう、サーバ装置Ｓに対して指示する。
【００４４】
入室可否情報は、カラオケ店舗Ｂの従業員に対し、カラオケ装置Ｋ１が設置されているカラオケルームＲ１への入室の許可（可）または禁止（否）を伝えるための情報である。
【００４５】
たとえば、見知らぬ人の前で歌うことが苦手な利用者Ａ１が、過去にカラオケ歌唱を行った楽曲Ｘの最高得点の更新を試みて楽曲Ｘの選曲を行ったとする。一方、カラオケルームＲ１のフロントに対して既に飲食物の提供を要求しており、且つ飲食物が提供される前に楽曲Ｘのカラオケ演奏が開始されたとする。この場合、利用者Ａ１としては、カラオケ歌唱中に飲食物の提供を行って欲しくない（カラオケ店舗Ｂの従業員にカラオケルームＲ１に入室して欲しくない）。
【００４６】
そこで、第１の指示部４００は、楽曲Ｘのカラオケ演奏の開始に伴って、カラオケルームＲ１への入室を禁止する旨の入室可否情報を、カラオケ装置Ｋ１と対応付けられている情報端末Ｄに送信するよう、サーバ装置Ｓに対して指示を行う。
【００４７】
具体的に、第１の指示部４００は、カラオケ装置Ｋ１の装置ＩＤと入室を禁止する旨の指示信号をサーバ装置Ｓに送信する。
【００４８】
サーバ装置Ｓの情報送信部３０ｂは、受信した装置ＩＤに基づいて、カラオケ装置Ｋ１に対応付けられている情報端末Ｄを特定する。そして、情報送信部３０ｂは、受信した指示信号に基づき、「カラオケルームＲ１への入室を禁止する」旨の入室可否情報を、特定した情報端末Ｄに送信する。情報端末Ｄは、受信した入室可否情報に基づいて、「カラオケルームＲ１の入室を禁止する」旨の文字をディスプレイに表示する。なお、サーバ装置Ｓは、カラオケ店舗毎に、部屋のルームＩＤと、設置されているカラオケ装置の装置ＩＤとを対応付けて記憶している。
【００４９】
ところで、本実施形態においては、算出部３００によりカラオケ演奏の終了時刻が算出されている。
【００５０】
そこで、第１の指示部４００は、サーバ装置Ｓに対し、算出された終了時刻まで入室を禁止する旨の入室可否情報を送信することができる。またこの場合、情報送信部３０ｂは、情報端末Ｄに対し、終了時刻まで入室を禁止する旨の入室可否情報を送信する。
【００５１】
たとえば、上述の通り、楽曲Ｘのカラオケ演奏について終了時刻「１８：３５：４０」が算出されたとする。
【００５２】
第１の指示部４００は、楽曲Ｘのカラオケ演奏の開始に伴って、カラオケルームＲ１への入室を「１８：３５：４０」まで禁止する旨の入室可否情報を、カラオケ装置Ｋ１と対応付けられている情報端末Ｄに送信するよう、サーバ装置Ｓに対して指示を行う。
【００５３】
サーバ装置Ｓの情報送信部３０ｂは、受信した装置ＩＤに基づいて、カラオケ装置Ｋ１に対応付けられている情報端末Ｄを特定する。そして、情報送信部３０ｂは、受信した指示信号に基づき、「カラオケルームＲ１への入室を「１８：３５：４０」まで禁止する」旨の入室可否情報を、特定した情報端末Ｄに送信する。情報端末Ｄは、受信した入室可否情報に基づいて、「カラオケルームＲ１の入室を「１８：３５：４０」まで禁止する」旨の文字をディスプレイに表示する。なお、入室可否情報に終了時刻を含める必要が無い場合、算出部３００の構成は不要である。
【００５４】
（採点部）
採点部５００は、利用者のカラオケ歌唱を評価する。カラオケ歌唱の評価は、公知の手法を用いることができる。たとえば、採点部５００は、マイク７０で入力された歌唱音声信号から、ピッチ（音高）データ、音量データ等の歌唱音声データを抽出し、楽曲のリファレンスデータと比較することにより、得点を得ることができる。
【００５５】
本実施形態に係る採点部５００は、カラオケ演奏に伴う利用者のカラオケ歌唱を評価し、所定の歌唱区間毎の得点を求めることができる。
【００５６】
歌唱区間は、カラオケ演奏が行われる区間のうち、歌詞が付与されている区間である。歌唱区間は、たとえば、Ａメロ、Ｂメロ、サビのように楽曲毎に予め複数の区間が設定されている。或いは、１小節単位で設定されてもよい。採点部５００は、楽曲の歌唱区間毎に評価を行い、得点を求める。
【００５７】
（判定部）
判定部６００は、得点及び最高得点情報に基づいて、カラオケ歌唱を継続した場合に、最高得点情報が示す最高得点を更新できるかどうかを判定する。
【００５８】
判定は様々な手法で行うことができる。たとえば、判定部６００は、ある歌唱区間における得点が、最高得点情報が示す最高得点よりも所定値以上（たとえば１０点以上）、低くなった場合、カラオケ歌唱を続けたとしても最高得点を更新できないと判定することができる。或いは、判定部６００は、複数の歌唱区間の得点の平均値と、最高得点とを比較することで最高得点を更新できるかどうかを判定してもよい。更に、歌唱履歴において、予め歌唱区間毎の最高得点を記録しておくことも可能である。この場合、判定部６００は、歌唱区間毎に、得点と最高得点情報とを比較し、得点が最高得点を下回る歌唱区間があった時点で、最高得点を更新できないと判定することも可能である。また、ある歌唱区間において得点が最高得点を下回ったとしても、その後の歌唱区間で高得点を得る可能性もありうる。このような場合を考慮し、判定部６００は、得点が最高得点を下回る歌唱区間が所定数連続した場合に、最高得点を更新できないと判定することも可能である。
【００５９】
最高得点情報が示す最高得点を更新できないと判定した場合、判定部６００は、その旨の信号を第２の指示部７００に出力する。一方、最高得点情報が示す最高得点を更新できると判定した場合、判定部６００は、カラオケ演奏が終了するまで繰り返し判定を行う。
【００６０】
（第２の指示部）
第２の指示部７００は、最高得点を更新できないと判定された場合、入室を許可する旨の入室可否情報を情報端末Ｄに送信するよう、サーバ装置Ｓに対して指示する。
【００６１】
たとえば、上述の例において、利用者Ａ１が最高得点の更新を試みて楽曲Ｘのカラオケ歌唱を行っているとする。しかし、最高得点を超えられない場合、カラオケ歌唱を中止したとしても利用者Ａ１にとっては大きな問題が無いため、既に注文した飲食物の提供を優先しても構わない。
【００６２】
そこで、第２の指示部７００は、判定部６００により、最高得点を更新できないと判定された場合、入室を許可する旨の入室可否情報を情報端末Ｄに送信するよう、サーバ装置Ｓに対して指示する。
【００６３】
具体的に、第２の指示部７００は、カラオケ装置Ｋ１の装置ＩＤと入室を許可する旨の指示信号をサーバ装置Ｓに送信する。
【００６４】
サーバ装置Ｓの情報送信部３０ｂは、受信した装置ＩＤに基づいて、カラオケ装置Ｋ１に対応付けられている情報端末Ｄを特定する。そして、情報送信部３０ｂは、受信した指示信号に基づき、「カラオケルームＲ１への入室を許可する」旨の入室可否情報を、特定した情報端末Ｄに送信する。情報端末Ｄは、受信した入室可否情報に基づいて、「カラオケルームＲ１の入室を許可する」旨の文字をディスプレイに表示する。
【００６５】
なお、上述の例において、利用者Ａ１が楽曲Ｘの最高得点を更新した場合（カラオケ歌唱を最後まで行った場合）、情報端末Ｄのディスプレイには、楽曲Ｘのカラオケ演奏が終了するまで「カラオケルームＲ１の入室を禁止する」旨の文字が表示されていることとなる。一方で、カラオケ演奏が終了した場合、利用者は、飲食物を速やかに提供して欲しいと考える。
【００６６】
そこで、第２の指示部７００は、カラオケ演奏の終了に伴い、入室を許可する旨の入室可否情報を情報端末Ｄに送信するよう、サーバ装置Ｓに対して指示することができる。
【００６７】
たとえば、演奏処理部２００は、楽曲Ｘのカラオケ演奏が終了した場合、その旨の信号を第２の指示部７００に出力する。第２の指示部７００は、カラオケ装置Ｋ１の装置ＩＤと入室を許可する旨の指示信号をサーバ装置Ｓに送信する。
【００６８】
サーバ装置Ｓの情報送信部３０ｂは、受信した装置ＩＤに基づいて、カラオケ装置Ｋ１に対応付けられている情報端末Ｄを特定する。そして、情報送信部３０ｂは、受信した指示信号に基づき、「カラオケルームＲ１への入室を許可する」旨の入室可否情報を、特定した情報端末Ｄに送信する。情報端末Ｄは、受信した入室可否情報に基づいて、「カラオケルームＲ１の入室を許可する」旨の文字をディスプレイに表示する。なお、情報送信部３０ｂは、第２の指示部７００から受信した指示信号を利用せずに入室可否情報を情報端末Ｄに送信してもよい。たとえば、サーバ装置Ｓは、カラオケ演奏の開始に伴い第１の指示部４００から受信した入室可否情報に含まれる終了時刻をカラオケ装置Ｋ１の装置ＩＤと紐付けて記憶しておき、終了時刻が到来したら装置ＩＤに基づいて情報端末Ｄを特定し、情報送信部３０ｂが「カラオケルームＲ１への入室を許可する」旨の入室可否情報を特定した情報端末Ｄに送信してもよい。
【００６９】
＝＝カラオケシステムにおける処理について＝＝
次に、図５Ａ及び図５Ｂを参照して本実施形態に係るカラオケシステム１における処理の具体例について述べる。図５Ａ及び図５Ｂは、カラオケシステム１における処理例を示すフローチャートである。この例では、図１に示したカラオケ店舗ＢのカラオケルームＲ１において、利用者Ａ１がカラオケ装置Ｋ１を利用して楽曲Ｘのカラオケ歌唱を行うとする。また、サーバ装置Ｓの記憶部１０には、利用者Ａ１が過去に楽曲Ｘをカラオケ歌唱した際の歌唱履歴が記憶されているとする。
【００７０】
利用者Ａ１は、リモコン装置８０を介して楽曲Ｘの選曲を行う。取得部１００は、サーバ装置Ｓに対し、利用者Ａ１の利用者ＩＤ、及び利用者Ａ１が選曲した楽曲Ｘの楽曲ＩＤを送信する（利用者ＩＤ及び楽曲ＩＤの送信。ステップ１０）。
【００７１】
抽出部３０ａは、ステップ１０で送信された利用者ＩＤ及び楽曲ＩＤに基づいて、利用者Ａ１の歌唱履歴の中から、楽曲Ｘを過去にカラオケ歌唱した際に得られた最高得点を示す最高得点情報を抽出し、カラオケ装置Ｋ１に送信する（最高得点情報の送信。ステップ１１）。
【００７２】
取得部１００は、ステップ１１で送信された、楽曲Ｘの最高得点情報を取得する（最高得点情報の取得。ステップ１２）。
【００７３】
演奏処理部２００は、利用者Ａ１が選曲した楽曲Ｘのカラオケ演奏を開始する（カラオケ演奏の開始。ステップ１３）。
【００７４】
算出部３００は、カラオケ演奏の開始時刻、及び楽曲Ｘの演奏時間に基づいて、当該カラオケ演奏の終了時刻を算出する（終了時刻の算出。ステップ１４）。
【００７５】
第１の指示部４００は、カラオケ演奏の開始に伴い、ステップ１４で算出された終了時刻までカラオケルームＲ１への入室を禁止する旨の入室可否情報を情報端末Ｄに送信するよう、サーバ装置Ｓに対して指示する（入室を禁止する旨の情報を送信するよう指示。ステップ１５）。
【００７６】
情報送信部３０ｂは、ステップ１５の指示に基づいて、カラオケ装置Ｋ１に対応付けられた情報端末Ｄに対し、ステップ１４で算出された終了時刻までカラオケルームＲ１への入室を禁止する旨の入室可否情報を送信する（入室を禁止する旨の情報を送信。ステップ１６）。
【００７７】
情報端末Ｄは、ステップ１６で送信された情報に基づいて、ステップ１４で算出された終了時刻までカラオケルームＲ１への入室を禁止する旨をディスプレイに表示する（入室を禁止する旨の表示。ステップ１７）。
【００７８】
採点部５００は、カラオケ演奏に伴う利用者Ａ１のカラオケ歌唱を評価し、所定の歌唱区間毎の得点を求める（カラオケ歌唱の評価。ステップ１８）。
【００７９】
判定部６００は、ステップ１８で求めた歌唱区間毎の得点及びステップ１２で取得した最高得点情報に基づいて、カラオケ歌唱を継続した場合に、最高得点情報が示す最高得点を更新できるかどうかを判定する。
【００８０】
最高得点を更新できると判定された場合（ステップ１９でＮの場合）、且つカラオケ演奏が終了した場合（ステップ２０でＹの場合）、第２の指示部７００は、カラオケルームＲ１への入室を許可する旨の入室可否情報を情報端末Ｄに送信するよう、サーバ装置Ｓに対して指示する（入室を許可する旨の情報を送信するよう指示。ステップ２１）。
【００８１】
情報送信部３０ｂは、ステップ２１の指示に基づいて、カラオケ装置Ｋ１に対応付けられた情報端末Ｄに対し、カラオケルームＲ１への入室を許可する旨の入室可否情報を送信する（入室を許可する旨の情報を送信。ステップ２２）。
【００８２】
情報端末Ｄは、ステップ２２で送信された情報に基づいて、カラオケルームＲ１への入室を許可する旨をディスプレイに表示する（入室を許可する旨の表示。ステップ２３）。
【００８３】
一方、最高得点を更新できないと判定された場合（ステップ１９でＹの場合）、カラオケシステム１は、カラオケ演奏の最中であっても、ステップ２１〜ステップ２３の処理を行う。
【００８４】
以上の通り、本実施形態に係るカラオケシステム１は、サーバ装置Ｓと、カラオケ店舗ＢのカラオケルームＲ１〜Ｒ４に設置されるカラオケ装置Ｋ１〜Ｋ４と、カラオケ装置Ｋ１〜Ｋ４に対応付けられ、カラオケ店舗Ｂの従業員に対して各種情報を提供する情報端末Ｄと、を含む。サーバ装置Ｓは、カラオケ装置Ｋ１から受信した、利用者を識別するための利用者情報、及び当該利用者が選曲した楽曲を識別するための楽曲情報に基づいて、当該利用者の歌唱履歴の中から、当該楽曲を過去にカラオケ歌唱した際に得られた最高得点を示す最高得点情報を抽出し、カラオケ装置Ｋ１に送信する抽出部３０ａと、カラオケ装置Ｋ１からの指示に基づいて、カラオケ装置Ｋ１に対応付けられた情報端末Ｄに対し、カラオケ装置Ｋ１が設置されたカラオケルームＲ１への入室の可否に関わる入室可否情報を送信する情報送信部３０ｂと、を有する。カラオケ装置Ｋ１は、サーバ装置Ｓに対し、利用者情報、及び楽曲情報を送信し、最高得点情報を取得する取得部１００と、利用者が選曲した楽曲のカラオケ演奏を行う演奏処理部２００と、カラオケ演奏の開始に伴い、入室を禁止する旨の入室可否情報を情報端末Ｄに送信するよう、サーバ装置Ｓに対して指示する第１の指示部４００と、カラオケ演奏に伴う利用者のカラオケ歌唱を評価し、所定の歌唱区間毎の得点を求める採点部５００と、得点及び最高得点情報に基づいて、カラオケ歌唱を継続した場合に、最高得点情報が示す最高得点を更新できるかどうかを判定する判定部６００と、最高得点を更新できないと判定された場合、入室を許可する旨の入室可否情報を情報端末Ｄに送信するよう、サーバ装置Ｓに対して指示する第２の指示部７００と、を有する。
【００８５】
このようなカラオケシステム１によれば、利用者が上手くカラオケ歌唱を行っている場合、情報端末に対して、カラオケルームへの入室を禁止する旨の情報を提供できる。よって、従業員は、たとえば、あるカラオケルームから飲食物の提供を要求されている場合であっても、情報端末に表示された情報を参照することで入室の可否を容易に把握できる。逆に、カラオケシステム１は、利用者が最高得点を更新する見込みが無くなった場合には、情報端末に対して、カラオケルームへの入室を許可する旨の情報を提供できる。よって、従業員は、情報端末に表示された情報を参照することでカラオケルームへの入室が許可されていることを容易に把握できる。すなわち、本実施形態に係るカラオケシステム１によれば、利用者のカラオケ歌唱の評価の状況に応じ、従業員に対して入室の可否を通知することができる。
【００８６】
また、本実施形態に係るカラオケ装置Ｋ１は、カラオケ演奏の開始時刻、及び楽曲データに基づいて、当該カラオケ演奏の終了時刻を算出する算出部３００を有する。第１の指示部４００は、サーバ装置Ｓに対し、終了時刻まで入室を禁止する旨の入室可否情報を送信する。情報送信部３０ｂは、情報端末Ｄに対し、終了時刻まで入室を禁止する旨の入室可否情報を送信する。
【００８７】
このように、入室可否情報にカラオケ演奏の終了時刻を含めることにより、従業員は、カラオケルームへの入室が禁止される具体的な時間を把握できる。
【００８８】
また、本実施形態に係る第２の指示部７００は、カラオケ演奏の終了に伴い、入室を許可する旨の入室可否情報を情報端末Ｄに送信するよう、サーバ装置Ｓに対して指示する。
【００８９】
この場合、カラオケ演奏の終了に伴って速やかに飲食物の提供等を受けることが可能となる。
【００９０】
更に、本実施形態に係るカラオケ装置Ｋ１は、サーバ装置Ｓと通信可能に接続され、且つカラオケ店舗Ｂの従業員に対して各種情報を提供する情報端末Ｄと対応付けられている。カラオケ装置Ｋ１は、サーバ装置Ｓに対し、利用者を識別するための利用者情報、及び当該利用者が選曲した楽曲を識別するための楽曲情報を送信し、当該利用者の歌唱履歴の中から、当該楽曲を過去にカラオケ歌唱した際に得られた最高得点を示す最高得点情報を取得する取得部１００と、利用者が選曲した楽曲のカラオケ演奏を行う演奏処理部２００と、カラオケ演奏の開始に伴い、入室を禁止する旨の入室可否情報を情報端末Ｄに送信するよう、サーバ装置Ｓに対して指示する第１の指示部４００と、カラオケ演奏に伴う利用者のカラオケ歌唱を評価し、所定の歌唱区間毎の得点を求める採点部５００と、得点及び最高得点情報に基づいて、カラオケ歌唱を継続した場合に、最高得点情報が示す最高得点を更新できるかどうかを判定する判定部６００と、最高得点を更新できないと判定された場合、入室を許可する旨の入室可否情報を情報端末Ｄに送信するよう、サーバ装置Ｓに対して指示する第２の指示部７００と、を有する。このようなカラオケ装置Ｋ１によれば、利用者のカラオケ歌唱の評価の状況に応じ、従業員に対して入室の可否を通知することができる。
【００９１】
＜その他＞
上記実施形態では、利用者Ａ１が過去に楽曲Ｘのカラオケ歌唱を行ったことがある（楽曲Ｘについての歌唱履歴がある）という前提で説明を行った。一方、利用者Ａ１が過去に楽曲Ｘをカラオケ歌唱したことが無い場合もありうる。この場合、最高得点情報は存在しない。従って、抽出部３０ａは、最高得点情報が無い旨をカラオケ装置Ｋ１に送信する。取得部１００は、最高得点情報を取得できないため、以降の処理は実施されない。
【００９２】
また、情報端末Ｄは、従業員が所有する携帯端末であってもよい。この場合、従業員が飲食物を持ってカラオケルームに向かった後にカラオケ演奏が開始されたとしても、入室前に入室の可否を改めて確認することが可能となる。
【００９３】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９４】
１  カラオケシステム
３０ａ  抽出部
３０ｂ  情報送信部
１００  取得部
２００  演奏処理部
３００  算出部
４００  第１の指示部
５００  採点部
６００  判定部
７００  第２の指示部
Ｄ  情報端末
Ｋ１〜Ｋ４  カラオケ装置
Ｓ  サーバ装置
【図１】
2020034752.tif 000003
【図２】
2020034752.tif 000004
【図３】
2020034752.tif 000005
【図４】
2020034752.tif 000006
【図５Ａ】
2020034752.tif 000007
【図５Ｂ】
2020034752.tif 000008